(57)【要約】  放送ソースから生成される放送ストリームを、ネットワークを介して送受信するデジタル放送システムであって、前記放送ソースの特性に応じて符号化した、共に前記放送ソースを再生し得る第１レイヤ符号と第２レイヤ符号とを生成する階層符号化部（２）と、生成された前記第１及び第２レイヤ符号とを含むデータバーストを生成する合成部（５）と、生成された前記データバーストを用いて放送ストリームを構成する多重部（７）と、構成された前記放送ストリームをネットワークに送信する送信部（９）と、前記放送ストリームを受信する同調復調部（３０１）と、前記放送ストリームから、前記第１及び第２レイヤ符号の少なくとも一の符号を抽出する同期部（３０２）と、抽出された前記符号を用いて放送ソースを再生するＴＳデコーダ（３０３）等を備える。
2008501251.tif 000002
【特許請求の範囲】
【請求項１】
画像、音声を含む放送に用いる放送ソースから生成される放送ストリームを、ネットワークを介して送受信するデジタル放送システムであって、
前記放送ソースの特性に応じて符号化した、共に前記放送ソースを再生し得る第１レイヤ符号と第２レイヤ符号とを生成する符号化手段と、
生成された前記第１レイヤ符号と第２レイヤ符号とを含むデータバーストを生成する合成手段と、
生成された前記データバーストを用いて放送ストリームを構成する多重手段と、
構成された前記放送ストリームをネットワークに送信する送信手段と、
送信された前記放送ストリームを受信する受信手段と、
受信された前記放送ストリームから、前記第１レイヤ符号および前記第２レイヤ符号の少なくとも一の符号を抽出する復号手段と、
抽出された前記符号を用いて放送ソースを再生する再生手段と
を備えることを特徴とするデジタル放送システム。
【請求項２】
前記放送ソースは、複数のサービス毎のコンテンツによって構成され、
前記デジタル放送システムは、さらに、
時刻を測る計時手段と、
前記放送ストリームにおける受信すべきデータバーストが当該放送ストリーム上に出現する時刻を示す予測窓信号を生成する予測窓生成手段とを備え、
前記受信手段は、予測窓信号がＨｉｇｈの期間のみ、一のサービスのコンテンツに対応する放送ストリームの中のデータバーストのみを受信する
ことを特徴とする請求項１記載のデジタル放送システム。
【請求項３】
前記受信手段は、さらに、
予測窓信号がＨｉｇｈの期間のみ、当該受信に関する電源を制御する
ことを特徴とする請求項２記載のデジタル放送システム。
【請求項４】
前記合成手段は、さらに、次の受信すべきデータバーストが放送ストリーム上に出現する時刻を示すバースト時刻情報をデータバーストの中に付加し、
前記予測窓生成出段は、データバーストに付加された前記バースト時刻情報に従って前記予測窓信号がＨｉｇｈに変化するタイミングおよびその窓幅を決定する
ことを特徴とする請求項２記載のデジタル放送システム。
【請求項５】
前記受信手段は、当該デジタル放送システムの基準時間を計時する計時部を備え、
前記計時部は、前記バースト時刻情報によって前記基準時間の補正を行う
ことを特徴とする請求項４記載のデジタル放送システム。
【請求項６】
前記予測窓生成手段は、さらに、前記受信すべきデータバーストのすべての信号を受信できない場合は、前記予測窓信号の窓幅を所定の期間伸長する
ことを特徴とする請求項２記載のデジタル放送システム。
【請求項７】
前記合成手段は、さらに、
前記放送ストリームの伝送時における符号誤りを訂正するための誤り訂正符号をデータバーストに付加する
ことを特徴とする請求項２記載のデジタル放送システム。
【請求項８】
前記誤り訂正符号は、前記第１レイヤ符号および前記第２レイヤ符号に個別に付加されており、
前記第２レイヤ符号に付加された誤り訂正符号の訂正能力は、前記第１レイヤ符号に付加された誤り訂正符号の訂正能力より高い
ことを特徴とする請求項７記載のデジタル放送システム。
【請求項９】
画像、音声を含む放送に用いる放送ソースから生成される放送ストリームを、ネットワークを介して送受信するデジタル放送システムにおける送信装置であって、
前記放送ソースの特性に応じて符号化した、共に前記放送ソースを再生し得る第１レイヤ符号と第２レイヤ符号とを生成する符号化手段と、
生成された前記第１レイヤ符号と第２レイヤ符号とを含むデータバーストを生成する合成手段と、
生成された前記データバーストを用いて放送ストリームを構成する多重手段と、
構成された前記放送ストリームを前記ネットワークに送信する送信手段と
を備えることを特徴とする送信装置。
【請求項１０】
画像や音声を含む放送に用いる放送ソースから生成される放送ストリームを、ネットワークを介して送受信するデジタル放送システムにおける受信装置であって、
前記ネットワークを介して放送ストリームを受信する受信手段と、
受信された前記放送ストリームから、前記放送ソースの特性に応じて符号化した、共に前記放送ソースを再生し得る第１レイヤ符号と第２レイヤ符号の少なくとも一の符号を抽出する復号手段と、
抽出された前記符号を用いて放送ソースを再生する再生手段と
を備えることを特徴とする受信装置。
【請求項１１】
画像や音声を含む放送に用いる放送ソースから生成される放送ストリームを、ネットワークを介して送受信するデジタル放送システムにおける送受信方法であって、
前記放送ソースの特性に応じて符号化した、共に前記放送ソースを再生し得る第１レイヤ符号と第２レイヤ符号とを生成する符号化ステップと、
生成された前記第１レイヤ符号と第２レイヤ符号とを含むデータバーストを生成する合成ステップと、
生成された前記データバーストを用いて放送ストリームを構成する多重ステップと、
構成された前記放送ストリームを前記ネットワークに送信する送信ステップと、
送信された前記放送ストリームを受信する受信ステップと、
受信された前記放送ストリームから、前記第１レイヤ符号および前記第２レイヤ符号の少なくとも一の符号を抽出する復号ステップと、
抽出された前記符号を用いて放送ソースを再生する再生ステップと
を備えることを特徴とするデジタル放送送受信方法。
【発明の詳細な説明】
【技術分野】
【０００１】
本発明は、デジタル放送システムに関し、特に、電池駆動の移動体端末に好適なデジタル放送やデジタルデータ放送の送受信方法、および上記デジタル放送システムにおける送信装置と受信装置に関するものである。
【背景技術】
【０００２】
固定受信端末への地上波デジタル放送の伝送方式は、欧州ではＥＴＳＩで規格化されている（ＤＶＢ−Ｔ  ＥＮ  ３００  ４７７）。地上波デジタル放送サービスを移動体端末で受信する方式においては、日本国内規格（ＡＲＩＢ  ＳＴＤ−Ｂ３１など）で規定されているように、あらかじめ放送波を複数の周波数セグメントに分割して伝送される。この場合、一般的なテレビ受信機では全セグメントを受信して大画面の再生を行い、移動体端末では少数あるいは一つのセグメントのみを受信して小画面の再生を行う。
【０００３】
ところが、欧州方式では、日本方式のように部分的なセグメント受信を規定していないため、移動体端末で放送サービスを受信するには、放送波の全帯域について連続して受信する必要があり、特に、消費電力の大きい高周波フロントエンド部分で多くの電力を消費する。すなわち、多くの場合、電池駆動を前提とした移動体端末では、電池の消耗が激しく、連続した放送サービスの受信が困難になるという実用面における課題がある。
【０００４】
このため、図１に示されるように、複数のサービスデータＡ〜Ｄを含むデジタル放送において、サービス毎に排他的な時分割多重でサービスデータを短時間にバースト伝送し、受信機側で目的のサービスのデータバーストが到着する期間のみ高周波フロントエンド部の電源を供給する（即ち、目的外のサービスのデータバーストが到着する期間においては高周波フロントエンド部の電源を遮断する）という方式が提案された（欧州特許出願公開第１３３７０７１号公報参照）。この方式により、ユーザによって選択されたサービスのデータバーストが到着している期間は、これ以外のデータバーストが到着している期間より十分短いことを利用して、平均消費電力の削減が可能である（この方式は、「タイムスライス方式」と呼ばれる）。
【発明の開示】
【発明が解決しようとする課題】
【０００５】
しかしながら、上記のタイムスライス方式では、電波受信状態が悪くキャリア／ノイズ比（以下「Ｃ／Ｎ」という。）が低い状態の時などに受信機がデータバーストを一旦失うと、同期が回復するまでは正常なデータバーストを取得できないため、サービスの再生が途絶えてしまうという課題がある。さらに、同期回復のために同調復調部電源を連続動作させる必要があるため、多くの電力を消費してしまうという課題もある。
【０００６】
本発明は、上記従来の課題を解決するものであり、低Ｃ／Ｎ時などにおいてもサービスの再生の中断を回避することが可能なデジタル放送システム等を提供することを目的とする。
【課題を解決するための手段】
【０００７】
上記従来の課題を解決するために、本発明に係るデジタル放送システムは、画像、音声を含む放送に用いる放送ソースから生成される放送ストリームを、ネットワークを介して送受信するデジタル放送システムであって、前記放送ソースの特性に応じて符号化した、共に前記放送ソースを再生し得る第１レイヤ符号と第２レイヤ符号とを生成する符号化手段と、生成された前記第１レイヤ符号と第２レイヤ符号とを含むデータバーストを生成する合成手段と、生成された前記データバーストを用いて放送ストリームを構成する多重手段と、構成された前記放送ストリームをネットワークに送信する送信手段と、送信された前記放送ストリームを受信する受信手段と、受信された前記放送ストリームから、前記第１レイヤ符号および前記第２レイヤ符号の少なくとも一の符号を抽出する復号手段と、抽出された前記符号を用いて放送ソースを再生する再生手段とを備えることを特徴とする。
【０００８】
これにより、低Ｃ／Ｎ時などにデータバーストの同期がずれた場合でも、符号サイズの小さい下位レイヤ符号（第２レイヤ符号）を取得できる確率は高いので、下位レイヤを復号してサービスの再生を中断させることなく続行させることが可能となる。
【０００９】
また、前記放送ソースは、複数のサービス毎のコンテンツによって構成され、前記デジタル放送システムは、さらに、時刻を測る計時手段と、前記放送ストリームにおける受信すべきデータバーストが当該放送ストリーム上に出現する時刻を示す予測窓信号を生成する予測窓生成手段とを備え、前記受信手段は、予測窓信号がＨｉｇｈの期間のみ、一のサービスのコンテンツに対応する放送ストリームの中のデータバーストのみを受信することを特徴とする。
【００１０】
これにより、低Ｃ／Ｎ時などにデータバーストの同期を失った場合、データバーストが放送ストリーム上に出現する時刻を計時手段および予測窓生成手段によって予測窓を開き、予測窓が開いている期間のみ限定的にストリームを取得することができるので、同期が外れることによってサービスの再生が中断してしまうことを回避することができる。
【００１１】
また、前記受信手段は、さらに、予測窓信号がＨｉｇｈの期間のみ、当該受信に関する電源を制御することを特徴とする。
【００１２】
これにより、低Ｃ／Ｎ時などにデータバーストの同期を失った場合でも、予測窓が開いているときのみデータバーストを受信するように電源を制御するので、同期の回復中においても消費電力を低く抑えることができ、電源である電池の消耗を軽減することができる。
【００１３】
また、前記合成手段は、さらに、次の受信すべきデータバーストが放送ストリーム上に出現する時刻を示すバースト時刻情報をデータバーストの中に付加し、前記予測窓生成出段は、データバーストに付加された前記バースト時刻情報に従って前記予測窓信号がＨｉｇｈに変化するタイミングおよびその窓幅を決定することを特徴とする。
【００１４】
また、前記受信手段は、当該デジタル放送システムの基準時間を計時する計時部を備え、前記計時部は、前記バースト時刻情報によって前記基準時間の補正を行うことを特徴とする。
【００１５】
また、前記予測窓生成手段は、さらに、前記受信すべきデータバーストのすべての信号を受信できない場合は、前記予測窓信号の窓幅を所定の期間伸長することを特徴とする。
【００１６】
また、前記合成手段は、さらに、前記放送ストリームの伝送時における符号誤りを訂正するための誤り訂正符号をデータバーストに付加することを特徴とする。
【００１７】
また、前記誤り訂正符号は、前記第１レイヤ符号および前記第２レイヤ符号に個別に付加されており、前記第２レイヤ符号に付加された誤り訂正符号の訂正能力は、前記第１レイヤ符号に付加された誤り訂正符号の訂正能力より高いことを特徴とする。
【００１８】
また、本発明は、画像、音声を含む放送に用いる放送ソースから生成される放送ストリームを、ネットワークを介して送受信するデジタル放送システムにおける送信装置であって、前記放送ソースの特性に応じて符号化した、共に前記放送ソースを再生し得る第１レイヤ符号と第２レイヤ符号とを生成する符号化手段と、生成された前記第１レイヤ符号と第２レイヤ符号とを含むデータバーストを生成する合成手段と、生成された前記データバーストを用いて放送ストリームを構成する多重手段と、構成された前記放送ストリームを前記ネットワークに送信する送信手段とを備えることを特徴とする。
【００１９】
また、本発明は、画像や音声を含む放送に用いる放送ソースから生成される放送ストリームを、ネットワークを介して送受信するデジタル放送システムにおける受信装置であって、前記ネットワークを介して放送ストリームを受信する受信手段と、受信された前記放送ストリームから、前記放送ソースの特性に応じて符号化した、共に前記放送ソースを再生し得る第１レイヤ符号と第２レイヤ符号の少なくとも一の符号を抽出する復号手段と、抽出された前記符号を用いて放送ソースを再生する再生手段とを備えることを特徴とする。
【００２０】
なお、本発明は、上記デジタル放送システムにおける特徴的な構成手段をステップとするデジタル放送送受信方法として実現したり、それらステップをパーソナルコンピュータ等に実行させるプログラムとして実現したりすることもできる。そして、そのプログラムをＤＶＤ（登録商標）等の記録媒体やインターネット等の伝送媒体を介して広く流通させることができるのは云うまでもない。
【発明の効果】
【００２１】
本発明によれば、低Ｃ／Ｎ時などにデータバーストの同期を失った場合に、データバーストがストリーム上に出現する時刻を計時手段によって予測して予測窓を開き、予測窓が開いている期間のみ限定的にストリームを取得する。さらに、予測窓の位置が実際のデータバースト位置からずれた場合でも、符号サイズの小さい下位レイヤ符号（第２レイヤ符号）を復号してサービスの再生が中断してしまうことを回避することができる。
【発明を実施するための最良の形態】
【００２２】
以下、本発明に係る実施の形態について、図面を参照しながら説明する。なお、本発明について、以下の実施の形態および添付の図面を用いて説明を行うが、これは例示を目的としており、本発明はこれらに限定されることを意図しない。
【００２３】
また、以下の本発明に係る処理は、ソフトウエアで実現可能であり、そのプログラムは記録媒体に格納可能である。
【００２４】
（実施の形態１）
図２は、本実施の形態に係るデジタル放送システム１０の概略図である。図２に示されるように、デジタル放送システム１０は、送信装置１００および少なくとも１台のモバイル受信装置２００を備え、両装置はネットワーク３０を介して接続されている。
【００２５】
送信装置１００は、ユーザ（「視聴者」ともいう。）に各種サービスを提供するためのソース（「コンテンツ」ともいう。）を多重して放送ストリームを生成し、これをネットワーク３０に送出する。
【００２６】
モバイル受信装置２００は、例えばデジタル放送用チューナ、液晶パネルおよびスピーカ等を備える携帯電話機であり、ネットワーク３０を介して受信した放送ストリームを復号し、ユーザによって選択されたサービスの内容を液晶パネル等に表示する。
【００２７】
図３は、本実施の形態に係る送信装置１００の機能の概略を示すブロック図である。
図３に示されるように、送信装置１００は、サービスＡ、ＢおよびＣの３種類のサービスのソース１，１１，２１を符号化および多重化して生成した放送ストリーム８を、送信アンテナを介してネットワーク３０に送出する装置であり、サービス毎に階層符号化部２，１２,２２、合成部５，１５，２５を備えると共に、多重部７および送信部９を備える。
【００２８】
サービスＡのソース１は、画像や音声などを含むコンテンツ（例えば、映画や音楽ライブのコンテンツ）である。なお、サービスＢのソース１１およびサービスＣのソース２１も、上記サービスＡのソース１と同様のコンテンツである。
【００２９】
階層符号化部２は、入力されたソース１を、ソースに含まれる画像や音声に関する周波数（空間周波数や音声周波数）によって高周波成分のデータと低周波成分のデータとに分解し、それぞれのデータに対して高能率符号化（例えば、ＭＰＥＧ−４による符号化）を行う。より具体的には、階層符号化部２は、上記高周波成分を高能率符号化した上位レイヤ符号３（第１レイヤ符号）と上記低周波成分を高能率符号化した下位レイヤ符号４（第２レイヤ符号）に分けて出力する。なお、階層符号化部１２および階層符号化部２２も、上記階層符号化部２と同様の機能を有する。
【００３０】
合成部５は、階層符号化部２から出力された上位レイヤ符号３と下位レイヤ符号４とを合成し、サービスＡのソース１についてのデータバースト６を出力する。この際、合成部５は、必要に応じて、合成後の符号をインタリーブした後に誤り訂正符号を算出し、データバースト６に付加する。すなわち、合成部５は、誤り訂正手段の構成要素でもある。このとき、データバースト６における各符号の配列は、下位レイヤ符合４が上位レイヤ符号３の後に続くよう結合されている。
【００３１】
同様に、合成部１５はサービスＢのソース１１についてのデータバースト１６を合成し、合成部２５はサービスＣのソース２１についてのデータバースト２６を合成し出力する。
【００３２】
多重部７は、ソース毎のデータバースト６、１６および２６を時分割多重して放送ストリーム８を生成する。より具体的には、多重部７は、「データバースト６、データバースト１６、データバースト２６」、「データバースト６、データバースト１６、データバースト２６」というように、ソース毎のデータバーストを順番に並べて１本の放送ストリーム８を生成する（図３参照）。
【００３３】
送信部９は、多重部７によって生成された放送ストリーム８をネットワーク３０に送出する。
【００３４】
従って、放送ストリーム８は、サービス毎に階層符号の上位レイヤ符号と下位レイヤ符号で構成されたデータバーストが多重されたものであり、複数のサービスを提供するためのデータが連続的に繰り返されて構成されたものである。
【００３５】
なお、上記の高能率符号化の方式はＭＰＥＧ−４に限定するものではなく、例えば、ＭＰＥＧ−２やＨ．２６４／ＡＶＣなどの階層符号化が可能な符号化方式でもよい。
【００３６】
また、ソースが音声付きの動画像の場合、音声も同様に上位レイヤ符号と下位レイヤ符号に階層符号化されて、画像の上位レイヤ符号および下位レイヤ符号のそれぞれに連結あるいは多重されてもよいし、階層化されずに画像の下位レイヤ符号に連結あるいは多重されてもよい。
【００３７】
ここでは、一例として、動画と音声の上位レイヤ符号が３５０ｋｂｐｓ、ＭＰＥＧ−４方式で圧縮された符号であり、動画と音声の下位レイヤ符号が６４ｋｂｐｓ、ＭＰＥＧ−４方式で圧縮された符号を想定する。さらに、それらの符号は、ＩＰ（Internet Protocol）パケットでパケット化された後に、さらにＭＰＥＧ−２で規定されるトランスポートストリーム形式（以下「ＴＳ」という。）でＴＳパケット多重化されるものとする。実際の放送サービスの例では、伝送容量が１５Ｍｂｐｓ程度であるので、この構成で３６種類のサービスを伝送することができる。
【００３８】
なお、上記の各数値は、理解を容易にするため一例として記載したものであり、本発明が上記の数値に限定されることを意図するものではない。また、動画像のかわりに静止画像、グラフィックス情報、文字情報又はこれらの組み合わせでもよい。さらに、音声については、ＭＩＤＩ形式などの音階データでもよい。また、サービスの内容が画像のみ、あるいは音声のみであってもよい。
【００３９】
図４は、本実施の形態に係るモバイル受信装置２００の機能構成を示すブロック図である。
【００４０】
図４に示されるように、モバイル受信装置２００は、同調復調部３０１、同期部３０２、ＴＳデコーダ３０３、IＰデコーダ３０４、バースト予測部３０５、システムクロック３０６、選局部３０７、バッファメモリ３０８、ＭＰＥＧ−４デコーダ３０９、電源制御部８０１およびシステム制御部８０２を備える。
【００４１】
同調復調部３０１は、受信アンテナを介して受信された放送電波に対して周波数同調および復調を行って放送ストリーム８を構成し、次段の同期部３０２に出力する。
【００４２】
同期部３０２は、高Ｃ／Ｎ状態で伝送路の誤り率が良好な場合、選局部３０７を介してユーザから指定されたサービスのデータバーストを放送ストリーム８から抽出し、ＴＳデコーダ３０３に出力する。そのとき、同期部３０２は、データバーストの先頭に付与されている同期コードを検出し、この同期コードを手がかりとしてデータバーストの時間的な位置を知得する。さらに、同期部３０２は、このデータバーストの時間的な位置を示すバースト同期信号Ｓ１をバースト予測部３０５に出力する。この場合の抽出されたデータバーストは、ＭＰＥＧ−２で規定されるＴＳ形式でパケット多重化されており、サービスを構成する映像、音声、制御データなどが多重されたＴＳパケットである。さらに、データバーストは、上記図３に示されるように、階層符号化された上位レイヤ符号と下位レイヤ符号で構成されている。
【００４３】
ＴＳデコーダ３０３は、同期部３０２から入力したデータバーストについて符号誤り訂正を行い、ＴＳパケットの復号によりデータ本体であるペイロードデータを抽出してIＰデコーダ３０４に出力する。すなわち、ＴＳデコーダ３０３は、誤り訂正手段の構成要素でもある。ＴＳパケットの復号は、上位レイヤ符号を含むＴＳパケットと下位レイヤ符号を含むＴＳパケットの両方について行われ、それぞれの符号化データが抽出される。
【００４４】
このとき、ＴＳデコーダ３０３は、ＴＳに多重されている制御データであるＰＳＩ（Program Specific Information）からサービス番組の周波数情報や番組番号、パケットＩＤ番号などの番組情報を抽出する。
【００４５】
選局部３０７は、番組情報に基づいて、ユーザによって選択されたサービス（番組）に対応する選局情報を出力する。
【００４６】
ＴＳデコーダ３０３は、選局情報に従い、目的のパケットＩＤ番号を持つＴＳパケットを選択的に抽出する。抽出されたＴＳパケットの中には、サービス番組の映像や音声などの符号化データをペイロードとして持つＩＰパケットが包含されており、ＩＰパケットがＴＳパケットによってカプセル化されて伝送される。さらに、ＩＰパケットのＭＡＣアドレスフィールドには、サービスが同じ次のデータバーストが出現するまでの相対時間を示す情報（以下「ΔＴ情報」という。）が埋め込まれている。
【００４７】
ＩＰデコーダ３０４は、ＴＳデコーダ３０３によって抽出されたＩＰパケットをデコードし、ＩＰパケットのペイロードで伝送されてきた映像や音声などの上位レイヤ符号と下位レイヤ符号の両方の符号化データを取り出すと共に、ΔＴ情報も抽出する。映像や音声などの符号化データは、バースト状であるため、バッファメモリ３０８に一旦蓄積されてから一定レートで読み出すことによってレート変換がなされる。その後、映像や音声などの上位レイヤ符号と下位レイヤ符号の両方の符号化データは、次段のＭＰＥＧ−４デコーダで復号されて、サービスに対応した映像出力や音声出力として出力される。この場合は、階層符号の上位レイヤ、下位レイヤともに復号するので、低周波から高周波までカバーした品質の良い再生信号を得る。
【００４８】
電源制御部８０１は、バースト予測部３０５が生成した予測窓信号Ｓ３のタイミングを元に電源制御信号Ｓ５を生成し、同調復調部３０１の電源をＯＮ／ＯＦＦする。そのタイミングは、後述する図５（ａ）に示すように同調復調部３０１の起動時間を考慮してデータバーストの出現時刻よりも時間的に早く出力する必要があるため、「ＯＮ」になるタイミングまでにはあらかじめ同調復調部３０１の起動時間を含める。
【００４９】
ここで、「予測窓（あるいは予測窓信号」」とは、複数のサービスのデータバーストが時分割多重されたデータストリームから目的のサービスのデータバーストを抽出する際に用いるタイミング信号である。より具体的に説明すれば、データストリームに含まれる目的のデータバースト位置を受信機側で予測し、その予測結果に従って、目的のサービスのデータバーストが到着すると予測されるタイミングの若干手前から受信機が自ら開くゲート信号である。すなわち、受信されたデータストリームを予測窓信号によってゲートすれば、目的のデータバースト近傍の若干手前からデータストリーム中のプリアンブルを探し出し、プリアンブルに続くデータバーストの同期コードを検出して捕獲することができるため、同期コード検出手段がデータストリームに含まれるデータ誤りにさらされる期間がより短くてすむ。従って、同期コードの誤検出を起こす確率が低くなり、検出精度が向上する。特に、伝送路のＣ／Ｎが劣悪でデータストリームにデータ誤りが多く含まれる場合に、予測窓による同期検出精度の向上効果は著しいものとなる。なお、予測窓を生成するための予測手段は、伝送路のＣ／Ｎが良好で同期検出が正常な時の同期間隔情報を保存しておき、予測時には保存しておいた同期間隔情報を用いて予測窓を生成する。
【００５０】
以上の構成により、必要な期間のみ同調復調部３０１の電源を供給するのみでデータバーストが捕獲できるので、高Ｃ／Ｎ時でも低Ｃ／Ｎ時でも電力消費を抑えながらサービス番組を受信することができる。
【００５１】
また、電源制御部８０１はイネーブル信号Ｓ６を入力し、システム制御部８０２からのイネーブル信号Ｓ６が“ＯＮ”になっているときは予測窓信号Ｓ３に従って“ＯＮ”又は“ＯＦＦ”を繰り返す電源制御信号Ｓ５を生成するが、イネーブル信号Ｓ６が“ＯＦＦ”の場合は、電源制御信号Ｓ５を常に“ＯＮ”の状態に保つ。
【００５２】
なお、電源のＯＮ／ＯＦＦを行う機能ブロックを同調復調部としたが、これは同調復調部のみに限定するものではなく、他の機能ブロックでもタイミング的に電源制御可能なものは電源ＯＮ／ＯＦＦの対象にしてもかまわない。
【００５３】
システム制御部８０２は、例えば、ＲＯＭやＲＡＭ等を備えるマイクロコンピュータであり、モバイル受信装置２００全体を制御する。
【００５４】
以上の構成により、同調復調部３０１の電源をシステム制御部から常時ＯＮ／ＯＦＦの制御ができるので、受信機の電源を投入した直後や放送波周波数のチャンネルを変更した直後など、初期のバースト同期確立のために同調復調部３０１の電源を連続通電する必要がある場合に対応できる。
【００５５】
図５（ａ）は、本実施の形態における放送ストリーム８の受信時の電源制御信号Ｓ５と各データバーストとのタイミングを示す図である。図５（ａ）では、ユーザによってサービスＡが選択された場合の電源制御信号Ｓ５によってデータバースト６を捕獲する様子を示す図である。
【００５６】
この図５（ａ）に示されるように、モバイル受信装置２００の同調復調部３０１は、信号の引き込みなど、受信動作を開始してデータバースト６を正常に捕獲するまでに約２５０ｍ秒の起動時間がかかるため、データバースト６の受信を開始する約２５０ｍ秒前に同調復調部３０１の電源供給を開始する。
【００５７】
図５（ｂ）は、本実施の形態におけるデータバーストのレート変換を示す図である。
図５（ｂ）に示されるように、データバースト６が捕獲されると、バースト伝送されたサービスＡの受信データをバッファメモリ３０８に蓄積すると同時に、一定の蓄積時間を経た後、バッファメモリ３０８から読み出しを開始する。バースト伝送が終了した後は、同調復調部３０１の電源供給を停止するが、ＭＰＥＧ−４デコーダ３０９は、給電したまま再生に必要なレートでバッファメモリ３０８からデータを読み出しながらコンテンツを再生する。
【００５８】
このように、必要な期間のみ同調復調部３０１に電源を供給することによって電力消費を抑えることができる。
【００５９】
次に、低Ｃ／Ｎ時など伝送路の誤り率が劣悪な場合のモバイル受信装置２００における受信動作について、上記図４および図６〜図９を用いて説明する。
【００６０】
図６は、本実施の形態に係るモバイル受信装置２００の同期部３０２の機能構成を示すブロック図である。図６に示されるように、同期部３０２は、バーストゲート回路４０２と同期コード検出器４０１を備える。
【００６１】
低Ｃ／Ｎ時では、データバーストの先頭に付与されている同期コードを見逃してしまう確率が高くなり同期コードを検出できなくなり、バースト同期信号Ｓ１が中断されてしまう。バースト予測部３０５は、常にバースト同期信号Ｓ１を監視している。また、ＩＰデコーダ３０４は、抽出したバースト時刻手段であるΔＴ情報Ｓ２も常時取得している。
【００６２】
高Ｃ／Ｎ時など受信状態が良好な場合は、直前のΔＴ情報Ｓ２によって次のバースト位置を予測はするものの、同期部３０２からバースト同期信号Ｓ１が入力されれば優先的にＳ１を採用し、予測窓信号Ｓ３はＳ２による予測値に拘わらず入力されたＳ１に律則されたタイミング信号を単に出力しているだけである。
【００６３】
一方、低Ｃ／Ｎ時など受信状態が劣悪な場合は、バースト同期信号Ｓ１が中断されるので、直前に取得したΔＴ情報Ｓ２から予測された時刻近傍にバースト同期信号Ｓ１を検出することができない。したがって、バースト同期信号Ｓ１が予測した時刻の近傍において検出できなかった場合、直前に取得したΔＴ情報Ｓ２を用いてデータバーストの位置を予測し、この予測した位置に合致するように予測窓信号Ｓ３を出力する。このとき、バースト予測部３０５は、システムクロック３０６から出力されるカウントクロックＳ４を加算していき、ΔＴ情報Ｓ２が示す時間に相当するカウント値を得ることによって、上記の予測窓信号が「ＯＮ」になっている時刻を決定する。
【００６４】
同期部３０２は、バースト同期信号Ｓ１が生成できなくなった状態においてもデータバーストを捕獲するために、バースト予測部３０５が生成した予測窓信号Ｓ３を用いて放送ストリームから目的のデータバーストを捉えようとする。しかし、バースト予測部３０５では、バースト同期信号Ｓ１の中止を検出してから予測窓信号Ｓ３が生成されるため、場合によっては予測窓信号Ｓ３のタイミングに基づく捕獲開始タイミングがデータバーストの実際の時刻より時間的に後方にずれる可能性がある。その場合、データバーストの前方に位置する上位レイヤ符号を取り逃がしてしまうが、後方に位置する下位レイヤ符号は取得する可能性は高いので、少なくとも下位レイヤ符号を使って後段のＭＰＥＧ−４デコーダ３０９でサービス番組の再生を続行することができる。
【００６５】
なお、ΔＴ情報は、図７に示されるように、データバーストの途中に埋め込まれているため（具体的には、ΔＴ（１）およびΔＴ（２））、当該ΔＴ情報が埋め込まれている位置から次のデータバーストまでの相対時間を示している。したがって、厳密には同種のデータバーストの間隔そのものを表現する値ではない。しかしながら、実際の運用においては、同種のデータバーストの間隔に対して個々のデータバーストの幅は十分に小さいため、データバーストの先頭からΔＴ情報が埋め込まれている位置のまでの時間は無視することができる。その誤差は、予測窓マージンΔＴ（Ｍ）で十分に吸収することができ、問題にはならない。
【００６６】
図６に示されるように、同期部３０２は、同期コード検出器４０１およびバーストゲート回路４０２を備える。同期コード検出器４０１は、選局部３０７から出力された、ユーザから選択されたサービスに対応するバーストＩＤに一致するデータバーストを選択するために、データバーストの先頭に付与されている同期コードを手がかりにして、受信したいデータバーストの位置を検出するためのバースト同期信号Ｓ１を出力する。バーストゲート回路４０２は、バースト同期信号Ｓ１または予測窓信号Ｓ３によって入力したＴＳからデータバーストを抽出するゲート回路であるが、バースト同期信号Ｓ１がアサートされてゲートが開いている最中に予測窓信号Ｓ３がアサートされても、予測窓信号Ｓ３は無視される。逆もまた同様に、予測窓信号Ｓ３がアサートされてゲートが開いている最中にバースト同期信号Ｓ１がアサートされても、バースト同期信号Ｓ１は無視される。
【００６７】
このように、バースト同期信号Ｓ１と予測窓信号Ｓ３は、互いに排他的な入力処理を行い、継続的な同期の維持を図っている。
【００６８】
図７は、本実施の形態におけるデータバースト６の構成とΔＴ情報を説明するための図である（なお、以下で説明する内容は、データバースト１６やデータバースト２６についても同様のことがいえる。）。
【００６９】
データバースト６は、上位レイヤ符号用同期コード５０１と、上位レイヤ符号３と、下位レイヤ符号用同期コード５０２と、下位レイヤ符号４から構成されている。従って、上記同期コード検出器４０１は、上位レイヤ符号用同期コード５０１を捕獲することによって、上位レイヤ符号３に含まれている、データバースト６の同期を表すΔＴ情報（具体的にはΔＴ（１））を得ることができる。さらに、同期コード検出器４０１は、後方に位置する下位レイヤ符号用同期コード５０２を捕獲することによって、下位レイヤ符号４に含まれている、データバースト６の同期を表す別のΔＴ情報（具体的にはΔＴ（２））を検出することができる。
【００７０】
なお、ΔＴ情報は、ＩＰパケットのＭＡＣアドレスフィールドに埋め込まれ、当該ΔＴ情報の時間的な挿入位置から次のデータバーストが出現するまでの相対時間を示すが、少なくとも、上位レイヤ符号３の中には一つ以上のΔＴ（１）と、下位レイヤ符号４の中には一つ以上のΔＴ（２）が含まれている。このような構成により、上位レイヤ符号３あるいは下位レイヤ符号４のどちらをデコードしてもΔＴ情報が得られるようになっている。
また、ΔＴ（１）、ΔＴ（２）共にマージンがあり、次のデータバーストの先頭が出現する時刻よりもΔＴ（Ｍ）分早めの時刻を示している。この構成により、同期を捕獲するためのシステム上のマージンを生じさせているので、上位レイヤ符号用同期コード５０１や下位レイヤ符号用同期コード５０２を安定に捕獲することができる。
【００７１】
図８は、本実施の形態におけるバースト予測部３０５の機能構成を示すブロック図である。
【００７２】
図８に示されるように、バースト予測部３０５は、同期喪失判定器６０１、ＡＮＤ回路６０２、プリセットレジスタ６０３、カウンタ６０４、比較器６０５およびパルス発生器６０６を備える。
【００７３】
同期喪失判定器６０１は、バースト同期信号Ｓ１のパルス状態を監視しており、バースト同期信号Ｓ１のパルス状態に応じたΔＴゲート信号Ｓ７を出力している。より詳細には、同期喪失判定器６０１は、バースト同期信号Ｓ１のパルス信号が一定期間内に発生していれば、「同期有り」と判定し、ΔＴゲート信号Ｓ７として“１”を出力する。一方、バースト同期信号Ｓ１のパルス信号が一定期間内に発生しなければ、「同期なし」と判定して、ΔＴゲート信号Ｓ７として“０”を出力する。
【００７４】
プリセットレジスタ６０３は、ΔＴ情報Ｓ２をローディングし、ローディング値を保持しながら出力するが、バースト同期信号Ｓ１が有効でΔＴゲート信号Ｓ７が“１”の場合にΔＴ情報Ｓ２がローディングされ、バースト同期信号Ｓ１が無効でΔＴゲート信号Ｓ７が“０”の場合は、ＡＮＤ回路６０２でΔＴ情報Ｓ２が遮断されるため、プリセットレジスタ６０３は直近のΔＴ情報Ｓ２の値を保持する。
【００７５】
カウンタ６０４は、カウントクロックＳ４から出力されるクロック信号を計数してその計数値を出力する。比較器６０５は、プリセットレジスタ６０３の保持しているΔＴ情報Ｓ２の値と、カウンタ６０４から出力された計数値とを比較し、一致した場合はトリガ信号を出力すると同時に、このトリガ信号でカウンタ６０４をクリアする。パルス発生器６０６は、比較器６０５から出力されたトリガ信号をトリガとして、予測窓信号Ｓ３を出力する。
【００７６】
上記の構成により、ΔＴ情報Ｓ２が示す時間に相当するカウント値を得ることによってバースト予測時刻を決定することができる。また、低Ｃ／Ｎ時でバースト同期信号Ｓ１が喪失した場合は、直近のΔＴ情報を保持したまま予測窓信号Ｓ３を出力するので、外乱に影響されない滑空処理ができる。
【００７７】
図９は、予測窓信号を用いたデータバースト６を確保する際の各信号間のタイミングを示す図である。
【００７８】
図９の動作を具体的に説明するために、図１０は、本実施の形態のモバイル受信装置２００における処理の流れを示すフローチャートである。
【００７９】
モバイル受信装置２００は、放送ストリーム８を受信時で（Ｓ１０００：Ｙｅｓ）、低Ｃ／Ｎ時の場合は（Ｓ１００１：Ｙｅｓ）、ΔＴ情報を用いて予測窓信号Ｓ３を生成し（Ｓ１００３）、この予測窓信号Ｓ３に基づいてデータバースト６等の位置を特定し（Ｓ１００４）、目的とするデータバーストを受信する（Ｓ１００５）。なお、高Ｃ／Ｎ時の場合は（Ｓ１００１：Ｎｏ）、従来とおり、バースト同期信号Ｓ１に基づいてデータバースト６等の位置を特定し（Ｓ１００２）、目的とするデータバーストを受信する（Ｓ１００５）。
【００８０】
なお、本実施の形態では、上記のデータバースト６については、ＭＰＥＧ−２で規定されるＴＳ形式のデータバーストを例示したが、他のフォーマット形式でもよい。また、階層符号化の方式も上位レイヤ符号と下位レイヤ符号の２分割としたが、ｎ分割した階層符号のうちの相対的に上位のレイヤと相対的に下位のレイヤで表すことができれば、２分割に限定するものではない。
【００８１】
また、番組情報を伝送するために、ＴＳパケット形式で多重されている制御データのＰＳＩを用いたが、ＰＳＩを用いずに独立した系統のデータチャンネルで伝送してもよいし、番組情報を伝送せずに受信装置側で予め決めている番組選択を行ってもかまわない。
【００８２】
また、上記実施の形態では、サービス番組の映像や音声などの符号化データを、ＴＳパケットでカプセル化されたＩＰパケットデータのペイロードを使用して伝送した例を示したが、ＩＰパケット形式に限定するものではない。
【００８３】
また、ΔＴ情報は、ΔＴ（１）等が出現した時刻から次のデータバーストが出現する時刻までの相対時間としたが、次のデータバーストが出現する時刻の絶対時間を用い、後から相対時間を計算してもかまわない。
【００８４】
また、バッファメモリに一旦蓄積して一定レートで読み出すことによってレート変換を行ったが、ＭＰＥＧ−４デコーダがバースト状の映像音声符号を許容できるなら、バッファメモリへの蓄積は必ずしも必要なものではない。  また、ΔＴ情報をＩＰパケットのＭＡＣアドレスフィールドに埋め込んだが、他のフィールドに埋め込んでもかまわない。
【００８５】
さらに、本実施の形態においては、上位レイヤ符号の後に下位レイヤ符号を配置する形態について説明したが、当然のことながら、上位レイヤのみでもサービスの再生が可能であるため、下位レイヤ符号の後に、上位レイヤ符号を配置する形態でもよい。
【００８６】
なお、本実施の形態では、モバイル受信装置２００が電源制御部８０１を備える実施例について説明したが、必ずしも電源制御部８０１を備えなくともよい（図１１参照）。
【００８７】
（実施の形態２）
上記実施の形態１では、予測窓信号Ｓ３の窓幅が一定な実施例について説明したが、本実施の形態では、受信状況が改善されない場合は、予測窓信号Ｓ３の窓幅を徐々に広げていく実施例について説明する。
【００８８】
図１２は、本実施の形態におけるバースト予測部３１５の機能構成を示すブロック図である。
【００８９】
なお、図１２において、上記実施の形態１にかかる図８と同じ構成要素については同じ符号を用い、その説明は省略する。
【００９０】
図１２に示されるように、パルス発生器９０１は、予測窓信号Ｓ３の予測窓幅、すなわちパルス幅の値を外部から設定できるようになっている。また、カウンタ９０３は、カウントクロックＳ４のパルス数をカウントしており、カウント値をパルス幅レジスタ９０２に出力する。パルス幅レジスタ９０２は、カウンタ９０３から出力されたカウント値に基づいてパルス幅値を算出し、これをパルス発生器９０１に出力する。但し、パルス幅レジスタ９０２は、ΔＴゲート信号Ｓ７によって制御され、ΔＴゲート信号Ｓ７が「１」の場合、すなわちバースト同期信号Ｓ１が検出されている場合、パルス幅レジスタ９０２は予め定められたパルス幅値をパルス発生器９０１に出力する。
【００９１】
一方、ΔＴゲート信号Ｓ７が「０」の場合、すなわちバースト同期信号Ｓ１が検出されていない場合は、上記のようにカウント値に基づいて算出されたパルス幅値をパルス発生器９０１に出力する。
【００９２】
以上の構成によって、図１３のタイミング図に示すように、高Ｃ／Ｎ時に正常受信している場合、パルス発生器９０１は一定の窓幅を持つ予測窓信号Ｓ３を生成するが、低Ｃ／Ｎ時にバースト同期を喪失した後に予測窓信号Ｓ３にてバースト同期捕獲を行う場合には、バースト同期が確立するまではパルス発生器９０１からの予測窓信号の窓幅を徐々に広げていく。したがって、ΔＴ情報Ｓ２によって予測窓信号が生成される事による窓位置の誤差の積算を吸収できるので、バースト同期を捕獲する確率が高まる。
【００９３】
図１４は、本実施の形態に係るモバイル受信装置における処理の流れを示すフローチャートである。なお、上記実施の形態１に係る図１０のフローチャートと同じ処理については同じ符号を用い、その説明は省略する。
【００９４】
本実施の形態に係るモバイル受信装置は、バースト同期信号Ｓ１を受信できたか否かを判定し（Ｓ１４００）、受信できない場合は（Ｓ１４００：Ｎｏ）、次に受信するデータバースト６のための予測窓信号Ｓ３の窓幅を所定の時間広げる（Ｓ１４０１）。
【００９５】
なお、予測窓の広げ方をカウンタとレジスタの構成による一意的な単調増加としたが、この部分にマイクロコンピュータなどを用いて、任意の窓幅の広げ方を施してもよい。また、映像・音声番組の通常運用では同一チャンネルのバーストは一定間隔で送信されるが、他のチャンネルのサービスが開始・終了した際の過渡期や、不定期なデータ放送が同一放送ストリームに発生した場合、ΔＴが過渡的に一定間隔を保たない場合もありうる。このような場合に低Ｃ／Ｎ状態が重なっても、予測窓を広げていけばバーストを捕獲する確率が高まる。
【００９６】
（実施の形態３）
図１５は、本発明の実施の形態におけるモバイル受信装置１１００の機能構成を示すブロック図である。図１５において、上記実施の形態１における図４と同じ構成要素については同じ符号を用い、その説明は省略する。
【００９７】
図１５において、モバイル受信装置１１００は、ＶＣＯ部１１０１と位相比較部１１０２を備える。
【００９８】
ＶＣＯ部１１０１は、ＶＣＯ制御信号入力による電圧制御で発振周波数が変化する電圧制御発振器であって、カウントクロックＳ４を生成している。
【００９９】
位相比較部１１０２は、バースト同期信号Ｓ１とカウントクロックＳ４の位相を比較し、その位相誤差を電圧値に換算してＶＣＯ制御信号として出力する。位相比較の際、ΔＴ情報Ｓ２によってカウントクロックＳ４のループゲインを調整するようになっており、位相比較の精度を向上させるようにする。
【０１００】
図１６は、本実施の形態におけるＶＣＯ部１１０１と位相比較部１１０２の機能構成を示すブロック図である。
【０１０１】
図１６に示されるように、位相比較部１１０２は、レジスタ１２０１、除算器１２０２、位相比較器１２０３およびローパスフィルタ１２０４を備える。
【０１０２】
レジスタ１２０１はΔＴ情報Ｓ２のΔＴ値を保持しており、除算器１２０２は、レジスタ１２０１で保持しているΔＴ値を、入力されたカウントクロックＳ４で除算し、除算結果の商の周期でパルスを出力する。位相比較器１２０３は、入力された二つのパルス信号を比較して位相差を出力するもので、バースト同期信号Ｓ１のパルスと前記除算結果の商の周期のパルスを比較し、位相誤差信号を出力する。ローパスフィルタ１２０４は、位相比較器１２０３の出力した位相誤差信号に対して低域周波数通過のフィルタをかけ、ＶＣＯ制御信号を生成する。
【０１０３】
以上の構成によって、バースト同期信号Ｓ１を参照周期としたＰＬＬ（Phase Locked Loop）が構成されるので、カウントクロックＳ４は、常にバースト同期信号Ｓ１に同期した周波数をもつことになる。したがって、受信機の持つ時計手段であるカウントクロックＳ４がバースト時刻情報であるΔＴ情報Ｓ２によって補正されるので、送信局のシステムクロックに同期したカウントクロックＳ４を得ることができ、予測窓信号Ｓ３の精度が向上するので受信システムの安定化を高めることができる。
【０１０４】
なお、位相比較の参照クロックにバースト同期信号Ｓ１を用いたが、送信局のシステムクロックに同期したデータあるいは信号ならば、何を用いても同様の効果が得られる。
【０１０５】
（実施の形態４）
図１７は、本実施の形態における送信装置の階層符号化部１３００の機能構成を示すブロック図である。
【０１０６】
図１７に示されるように、階層符号化部１３００は、前処理器１３０１、上位レイヤ符号化器１３０２、下位レイヤ符号化器１３０３、中間処理器、誤り訂正手段である上位レイヤ誤り訂正符号化器１３０４、誤り訂正手段である下位レイヤ誤り訂正符号化器１３０５を備える。
【０１０７】
前処理器１３０１は、入力された例えば映像のソースを周波数分析し、高周波成分からなる高解像度画像と低周波成分からなる低解像度画像の二つの画像に分解して出力する。
上位レイヤ符号化器１３０２は、高解像度画像を符号化し、例えばＭＰＥＧ−４のＶＯＬ１符号をＴＳパケット形式で生成する。下位レイヤ符号化器１３０３は、低解像度画像を符号化し、例えばＭＰＥＧ−４のＶＯＬ０符号をＴＳパケット形式で生成する。このとき、上位レイヤ符号化器１３０２は、下位レイヤ符号化器１３０３が符号処理過程で生成した低解像度画像を中間処理器で予測画像に変換して符号化処理に用いる。
【０１０８】
上位レイヤ誤り訂正符号化器１３０４は、上位レイヤ符号化器１３０２の生成したＶＯＬ１符号に対して上位レイヤ誤り訂正符号を計算し、ＶＯＬ１に連結して上位レイヤ符号３を生成して出力する。下位レイヤ誤り訂正符号化器１３０５は、下位レイヤ符号化器１３０３の生成したＶＯＬ０符号に対して下位レイヤ誤り訂正符号を計算し、ＶＯＬ０に連結して下位レイヤ符号４を生成して出力する。このとき、下位レイヤ誤り訂正符号の訂正能力は、上位レイヤ誤り訂正符号よりも相対的に誤り訂正強度を高めたものにしておく。例えば、上位レイヤ誤り訂正符号にリードソロモン符号のＲＳ（２５５，２３９）を用いてハミング距離を８としたならば、下位レイヤ誤り訂正符号にリードソロモン符号のＲＳ（２５５，１９１）を用いてハミング距離を３２とするなどして下位レイヤの訂正符号の強度を上位レイヤよりも増強しておく。
【０１０９】
以上のような構成により、低Ｃ／Ｎ時などに下位レイヤのみを復号してサービスの再生を続行する場合でも、より安定したサービス再生を行うことができる。
【０１１０】
なお、この例ではリードソロモン符号と特定的な処理コード長を用いたが、他の誤り訂正符号と他のコード長を用いても同様の効果が得られる。また、上位レイヤと下位レイヤで誤り訂正符号化器を独立に設けているが、パラメータの変更ができる誤り訂正符号化器を一基だけ用い、タイムシェアで用いる構成としてもよい。また、誤り訂正符号化器を持たず、上位レイヤ符号化器や下位レイヤ符号化器におけるソフトウエア処理として誤り訂正符号を生成して付加してもかまわない。また、誤り訂正符号を各レイヤの符号に付与する際は、レイヤ符号をインタリーブした後に誤り訂正符号を付与してもよい。
【０１１１】
また、前処理器での階層分割は、ソース信号に含まれる周波数成分によって行われているが、他の物理パラメータによって階層分割されてもよい。また、データフォーマット形式はＴＳを用いたが、他のフォーマットでもよい。
【０１１２】
（実施の形態５）
図１８は、本実施の形態におけるモバイル受信装置１４００の機能構成を示すブロック図である。なお、図１８において、上記実施の形態１における図４と同じ構成要素については同じ符号を用い、その説明は省略する。
【０１１３】
図１８に示されるように、移動体放送受信機１４００は、同調復調部１４０１および同期部１４０２を備える。
【０１１４】
同調復調部１４０１は、受信した電波のＣ／Ｎ状態をリアルタイムに測定する機能があり、Ｃ／Ｎ状態を表すデータ値をＣ／Ｎ状態信号Ｓ８として出力する。同期部１４０２は、Ｃ／Ｎ状態信号Ｓ８がＣ／Ｎの劣化を示した場合、データバーストの捕獲をＴＳ中の同期コードではなく、予測窓信号Ｓ３によって行うように変更する。
【０１１５】
図１９は、本実施の形態における同期部１４０２の機能構成を示すブロック図である。なお、図１９において、上記実施の形態１における図６と同じ構成要素については同じ符号を用い、その説明は省略する。
【０１１６】
図１９に示されるように、ゲート回路１５０１は、Ｃ／Ｎ状態信号Ｓ８のＣ／Ｎデータ値が予め定められた値よりＣ／Ｎの劣化を示したならば、ゲート回路を閉じる機能を有している。したがって、Ｃ／Ｎが劣化した場合、同期コード検出器４０１が検出したバースト同期信号Ｓ１を遮断するので、バーストゲート回路４０２は予測窓信号Ｓ３でデータバーストの捕獲動作を行うようになる。このような構成により、同期コード検出が不可能になるようなＣ／Ｎ状態の劣化に陥る以前にＣ／Ｎ状態の劣化を察知し、データバースト抽出を予測窓信号での抽出方式に切り換えることができるので、モバイル受信装置が高速に移動してＣ／Ｎ状態が動的に変動する場合でも安定した受信とサービス再生が可能になる。
【０１１７】
なお、同調復調部１４０１からのＣ／Ｎ状態信号Ｓ８を直接、同期部３０２内のゲート回路１５０１へ入力しているが、途中にマイクロコンピュータを介在させてソフトウエアでゲート回路１５０１を制御してもよい。
【０１１８】
また、実施の形態１から５において、高周波伝送レイヤに、畳み込み符号やターボ符号などの、連続的な符号誤りに対して有効な性能を示す誤り訂正符号を外符号として用いれば、さらにサービス再生時の安定性が向上する。
【産業上の利用可能性】
【０１１９】
本発明にかかる移動体端末のための放送の送受信方法は、デジタル放送やデジタルデータ放送を移動しながら受信する場合の送受信方法および送信装置と受信装置に利用可能である。
【図面の簡単な説明】
【０１２０】
【図１】従来のデジタル放送システムにおける伝送方式の概略図である。
【図２】本発明の実施の形態１に係るデジタル放送システムの概略図である。
【図３】本発明の実施の形態１に係る送信装置の機能の概略を示すブロック図である。
【図４】本発明の実施の形態１に係るモバイル受信装置の機能構成を示すブロック図である。
【図５】（ａ）は、本発明の実施の形態１におけるデータバーストと電源制御信号とのタイミングを示す図である。（ｂ）は、本発明の実施の形態１におけるデータバーストとこれのバッファメモリへの蓄積時間とのタイミングを示す図である。
【図６】本発明の実施の形態１における同期部の機能構成を示すブロック図である。
【図７】本発明の実施の形態１におけるデータバーストの構成とΔＴ情報を説明するための図である。
【図８】本発明の実施の形態１におけるバースト予測部の機能構成を示すブロック図である。
【図９】本発明の実施の形態１における予測窓信号を用いたデータバーストを確保するためのタイミングを示す図である。
【図１０】本発明の実施の形態１に係るモバイル受信装置における処理の流れを示すフローチャートである。
【図１１】本発明の実施の形態１に係る電源制御部がないモバイル受信装置の機能構成を示すブロック図である。
【図１２】本発明の実施の形態２におけるバースト予測部の機能構成を示すブロック図である。
【図１３】本発明の実施の形態２における予測窓信号を用いたデータバーストを確保するためのタイミングを示す図である。
【図１４】本発明の実施の形態２に係るモバイル受信装置における処理の流れを示すフローチャートである。
【図１５】本発明の実施の形態３に係るモバイル受信装置の機能構成を示すブロック図である。
【図１６】本発明の実施の形態３におけるＶＣＯ部と位相比較部の機能構成を示すブロック図である。
【図１７】本発明の実施の形態４における階層符号化部の機能構成を示すブロック図である。
【図１８】本発明の実施の形態５に係るモバイル受信装置の機能構成を示すブロック図である。
【図１９】本発明の実施の形態５における同期部の機能構成を示すブロック図である。
【図１】
2008501251.tif 000003
【図２】
2008501251.tif 000004
【図３】
2008501251.tif 000005
【図４】
2008501251.tif 000006
【図５】
2008501251.tif 000007
【図６】
2008501251.tif 000008
【図７】
2008501251.tif 000009
【図８】
2008501251.tif 000010
【図９】
2008501251.tif 000011
【図１０】
2008501251.tif 000012
【図１１】
2008501251.tif 000013
【図１２】
2008501251.tif 000014
【図１３】
2008501251.tif 000015
【図１４】
2008501251.tif 000016
【図１５】
2008501251.tif 000017
【図１６】
2008501251.tif 000018
【図１７】
2008501251.tif 000019
【図１８】
2008501251.tif 000020
【図１９】
2008501251.tif 000021
【国際調査報告】
2008501251.tif 000022
2008501251.tif 000023